【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
撮影レンズの射出瞳の一部の領域を通る光を受光して焦点検出用の信号を生成する複数の焦点検出用画素を有する撮像素子と、
焦点検出領域に対応する前記焦点検出用画素で生成された信号に基づいて焦点検出を行う焦点検出手段と、
傷がある前記焦点検出用画素についての第１の情報を記憶する記憶手段と、
前記記憶手段に記憶された前記第１の情報に基づいて、絞り値についての所定範囲を設定する設定手段と、
を有し、
前記焦点検出手段は、前記焦点検出領域に対応する前記焦点検出用画素の中に前記傷がある前記焦点検出用画素が含まれる場合、
焦点検出用の信号を生成するための電荷蓄積中に設定された第１の絞り値が前記所定範囲内にあれば、前記傷がある前記焦点検出用画素からの信号を使用して焦点検出を行い、
前記第１の絞り値が前記所定範囲内になければ、前記傷がある前記焦点検出用画素からの信号を使用せずに焦点検出を行うことを特徴とする焦点調節装置。
【請求項２】
前記第１の情報は、前記傷がある前記焦点検出用画素の位置と大きさについての情報であることを特徴とする請求項１に記載の焦点調節装置。
【請求項３】
前記設定手段は、前記第１の情報に基づく前記傷がある前記焦点検出用画素の傷の大きさを、当該焦点検出用画素から出力される信号の最大値と最小値の差で割った傷レベルを算出し、該傷レベルに基づいて前記所定範囲を設定することを特徴とする請求項１または２に記載の焦点調節装置。
【請求項４】
前記設定手段は、前記傷がある前記焦点検出用画素が複数存在する場合は、それぞれの前記傷レベルの平均値に基づいて、前記所定範囲を設定することを特徴とする請求項３に記載の焦点調節装置。
【請求項５】
前記焦点検出手段は、前記第１の絞り値が前記所定範囲内にない場合に、前記焦点検出領域に対応する前記焦点検出用画素のうち、前記傷がある前記焦点検出用画素を除いた前記焦点検出用画素からの信号を加算または平均した信号を用いて焦点検出を行うことを特徴とする請求項１乃至４のいずれか１項に記載の焦点調節装置。
【請求項６】
前記撮像素子は、前記焦点検出用画素の対を複数有し、
前記焦点検出手段は、前記第１の絞り値が前記所定範囲内にない場合に、前記焦点検出領域に対応する前記焦点検出用画素の対のうち、前記傷がある前記焦点検出用画素を除いた前記焦点検出用画素の対からの焦点検出結果の平均に基づいて焦点検出を行うことを特徴とする請求項１乃至５のいずれか１項に記載の焦点調節装置。
【請求項７】
前記焦点検出手段は、前記第１の絞り値が前記所定範囲内にない場合に、前記第１の絞り値を変更可能かどうかを判定し、変更可能な場合に、前記所定範囲内となるように前記第１の絞り値を変更することを特徴とする請求項１乃至６のいずれか１項に記載の焦点調節装置。
【請求項８】
前記撮像素子からの画像データを表示するための表示装置をさらに有し、
前記撮像素子からの画像データをリアルタイムに前記表示装置に表示するライブビューモードにおいて、焦点検出時の前記第１の絞り値を変更することを特徴とする請求項７に記載の焦点調節装置。
【請求項９】
前記撮像素子の近傍に温度検出手段をさらに有し、
前記設定手段は、前記温度検出手段による検出結果及び前記記憶手段に記憶された前記第１の情報に基づいて、前記所定範囲を設定することを特徴とする請求項１乃至８のいずれか１項に記載の焦点調節装置。
【請求項１０】
撮影レンズの射出瞳の一部の領域を通る光を受光して焦点検出用の信号を生成する複数の焦点検出用画素を有する撮像素子と、
焦点検出領域に対応する前記焦点検出用画素で生成された信号に基づいて焦点検出を行う焦点検出手段と、
傷がある前記焦点検出用画素についての第１の情報を記憶する記憶手段と、
前記記憶手段に記憶された前記第１の情報に基づいて、絞り値についての所定範囲を設定する設定手段と、
を有し、
前記焦点検出手段は、前記焦点検出領域に対応する前記焦点検出用画素の中に前記傷がある前記焦点検出用画素が含まれる場合、当該傷がある前記焦点検出用画素からの信号を焦点検出に使用するかどうかを、焦点検出用の信号を生成するための電荷蓄積中に設定された第１の絞り値に応じて決定することを特徴とする焦点調節装置。
【請求項１１】
撮影レンズの射出瞳の一部の領域を通る光を受光して焦点検出用の信号を生成する複数の焦点検出用画素を有する撮像素子と、傷がある前記焦点検出用画素についての第１の情報を記憶する記憶手段とを有する焦点調節装置の制御方法であって、
焦点検出領域に対応する前記焦点検出用画素で生成された信号に基づいて焦点検出を行う焦点検出ステップと、
前記記憶手段に記憶された前記第１の情報に基づいて、絞り値についての所定範囲を設定する設定ステップと、
を有し、
前記焦点検出ステップにおいて、前記焦点検出領域に対応する前記焦点検出用画素の中に前記傷がある前記焦点検出用画素が含まれる場合、
焦点検出用の信号を生成するための電荷蓄積中に設定された第１の絞り値が前記所定範囲内にあれば、前記傷がある前記焦点検出用画素からの信号を使用して焦点検出を行い、
前記第１の絞り値が前記所定範囲内になければ、前記傷がある前記焦点検出用画素からの信号を使用せずに焦点検出を行うことを特徴とする焦点調節装置の制御方法。
【請求項１２】
撮影レンズの射出瞳の一部の領域を通る光を受光して焦点検出用の信号を生成する複数の焦点検出用画素を有する撮像素子と、傷がある前記焦点検出用画素についての第１の情報を記憶する記憶手段とを有する焦点調節装置の制御方法であって、
焦点検出領域に対応する前記焦点検出用画素で生成された信号に基づいて焦点検出を行う焦点検出ステップと、
前記記憶手段に記憶された前記第１の情報に基づいて、絞り値についての所定範囲を設定する設定ステップと、
を有し、
前記焦点検出ステップにおいて、前記焦点検出領域に対応する前記焦点検出用画素の中に前記傷がある前記焦点検出用画素が含まれる場合、当該傷がある前記焦点検出用画素からの信号を焦点検出に使用するかどうかを、焦点検出用の信号を生成するための電荷蓄積中に設定された第１の絞り値に応じて決定することを特徴とする焦点調節装置の制御方法。
【手続補正２】
【補正対象書類名】明細書
【補正対象項目名】発明の名称
【補正方法】変更
【補正の内容】
【発明の名称】焦点調節装置およびその制御方法
【手続補正３】
【補正対象書類名】明細書
【補正対象項目名】０００８
【補正方法】変更
【補正の内容】
【０００８】
そこで、本発明は、焦点検出用画素群に傷画素が存在しても、焦点検出の精度が許容できる範囲で、傷画素を有効活用可能な焦点調節装置およびその制御方法を提供することを目的としている。
【手続補正４】
【補正対象書類名】明細書
【補正対象項目名】０００９
【補正方法】変更
【補正の内容】
【０００９】
本発明の一側面としての焦点調節装置は、撮影レンズの射出瞳の一部の領域を通る光を受光して焦点検出用の信号を生成する複数の焦点検出用画素を有する撮像素子と、焦点検出領域に対応する前記焦点検出用画素で生成された信号に基づいて焦点検出を行う焦点検出手段と、傷がある前記焦点検出用画素についての第１の情報を記憶する記憶手段と、前記記憶手段に記憶された前記第１の情報に基づいて、絞り値についての所定範囲を設定する設定手段と、を有し、前記焦点検出手段は、前記焦点検出領域に対応する前記焦点検出用画素の中に前記傷がある前記焦点検出用画素が含まれる場合、焦点検出用の信号を生成するための電荷蓄積中に設定された第１の絞り値が前記所定範囲内にあれば、前記傷がある前記焦点検出用画素からの信号を使用して焦点検出を行い、前記第１の絞り値が前記所定範囲内になければ、前記傷がある前記焦点検出用画素からの信号を使用せずに焦点検出を行うことを特徴とする。
本発明の他の側面としての焦点調節装置は、撮影レンズの射出瞳の一部の領域を通る光を受光して焦点検出用の信号を生成する複数の焦点検出用画素を有する撮像素子と、焦点検出領域に対応する前記焦点検出用画素で生成された信号に基づいて焦点検出を行う焦点検出手段と、傷がある前記焦点検出用画素についての第１の情報を記憶する記憶手段と、前記記憶手段に記憶された前記第１の情報に基づいて、絞り値についての所定範囲を設定する設定手段と、を有し、前記焦点検出手段は、前記焦点検出領域に対応する前記焦点検出用画素の中に前記傷がある前記焦点検出用画素が含まれる場合、当該傷がある前記焦点検出用画素からの信号を焦点検出に使用するかどうかを、焦点検出用の信号を生成するための電荷蓄積中に設定された第１の絞り値に応じて決定することを特徴とする。
【手続補正５】
【補正対象書類名】明細書
【補正対象項目名】００１０
【補正方法】変更
【補正の内容】
【００１０】
本発明によれば、焦点検出用画素群に傷画素が存在しても、焦点検出の精度が許容できる範囲で、傷画素を有効活用可能な焦点調節装置およびその制御方法を提供することができる。